(57)【要約】【課題】  四足動物（犬など）が散歩などの後、汚れた４つの足の裏を洗うときにはどうしても胸部、腹部や尻の部分が濡れてしまうのを解決するためのものであり、簡単に着脱ができ、足の洗浄時には４本の足の他は濡らさずにすむ四足動物の足洗浄補助用具を提供する。【解決手段】  穴と切込みとを連通させて形成した穴状部に動物の４本の足を入れて、胴体腹部を覆う形体で柔軟性があるシート状本体と、動物に固定させる動物の体形に調節可能な連結具からなり、四足動物の足の間から装着し、留め具で動物に固定させて用いる。【選択図】図１
2010088418.tif 000002
【特許請求の範囲】
【請求項１】
四足動物の各足を囲む穴状部を有し、動物の体形に沿って足以外の胴体腹部を覆う形状の柔軟性が有るシート状の本体（１）と、前記本体を四足動物に固定させるため、前記本体の一端側と他端側とを繋ぐ連結具（２）とを備えた四足動物の足洗い用具。
【請求項２】
柔軟性があるシート状の本体の一部に伸縮自在な蛇腹状部（３）を設け、四足動物の体長に合わせて本体が四足動物の表面を覆う面積を可変にしたことを特徴とする請求項１記載の四足動物の足洗い用具。
【請求項３】
柔軟性があるシート状の本体が、複数の片（４、５）に分割されており、四足動物の体長に合わせて本体の各片が重なり合う範囲を調節可能にして四足動物の表面を覆う面積を可変にしたことを特徴とする請求項１又は請求項２記載の四足動物の足洗い用具。
【請求項４】
本体の動物の各足を囲む穴状部が、穴と切込みとを連通させて形成したことを特徴とする請求項１乃至請求項３記載の四足動物の足洗い用具。
【発明の詳細な説明】
【技術分野】
【０００１】  本発明は、犬などの四足動物が散歩等で汚れた足先を洗浄するとき、足以外の体を濡らさない目的で使用する四足動物の足洗い用具に関するものである。
【背景技術】
【０００２】  室内で飼育されている犬などの四足動物（ペット）にとって、室外での毎日の散歩は、健康維持のためにも必要不可欠である。しかし、室外で散歩すると、地面の土、泥、砂などで足が汚れる。散歩後は、４本の足の裏は、土、泥、砂などで汚れているので、水で流して洗わないと、室内が汚れてしまう。
ところが、犬は、水が気になって、大人しくじっとしていなく、飼い主の意志に反して、体をしきりに動かす。そのため、足を洗うときには、４本の足の先だけ洗いたいにもかかわらず、動物の胴体部の胸や腹や尻尾もずぶ濡れになることが多い。
特開２００２−２７２３００号には、四足動物が雨の後の散歩に使用する腹部分を覆う犬用エプロンが示されている。これは、雨上がりの時の散歩中に犬の腹部が濡れたり、泥はね等で汚れたりするのを防ぐため、首部から胸部・腹部にかけて覆うエプロンで防止を目的としたものであり、犬用雨具である。そして犬の首部から胸部・腹部にかけて覆う胴体覆い部にベルトを首部、胸部、腹部の３ヶ所に取り付け、それぞれファスナーテープで固定して装着する構造である。
【特許文献】  特開  ２００２−２７２３００  号    犬用エプロン
【発明の開示】
【発明が解決しようとする課題】
【０００３】  特開２００２−２７２３００号の犬用エプロンの使用目的は、雨のあとの散歩における泥はね防止であり、散歩時の用を足すためには後足近辺の腹部、尻を覆わずに開いていることが不可欠である。また、エプロンの形体のために前足の内側は覆っているが前足外側の側面と後足から尻にかけては全開しているので、本発明の課題である足の洗浄時に用いる場合には、前足・後足の外側の一番水道の蛇口から水がかかりやすい場所も濡れてしまう。
このため、四足動物の４本の足だけを洗うという課題においては、前足外側、後足近辺の腹部、後足、尻近辺は濡れてしまうことになるので、目的を達することは出来ない。また首部、胸部、腹部でエプロンから長いベルトを一対ずつ持ってきて留めるので四足動物に装着する手間がかかる。したがって、この犬用エプロンでは、本発明の課題を解決することができない。【０００４】  散歩等外出した動物の汚れた足の裏を、水で洗うこと無しに、布等で拭取った場合は、足の指と指の間や皮膚の襞に土や泥がなかなか取れない。そこで、水で足の裏だけを洗いたいと思っても、じっとしていてくれなかったり、小さい体や短い脚で洗いづらかったり、洗っている水はねもあり、４本の足先のみを洗い他を濡らさないようにすることは大変困難である。
特に寒い冬場など、足以外の胸や腹や尻、尻尾を濡らす事は動物も飼い主にとっても苦痛であり、また動物の皮膚においても水濡れは良いことではない。
足先以外の水で濡れた範囲が大きければ大きいほど、それを拭くタオルや拭くための時間を多く使うので、動物も飼い主もストレスになる。
【課題を解決するための手段】
【０００５】  この発明はこのような問題点を解決するために四足動物の各足の出る穴を有し、胸部、腹部、尻を覆う本体と連結具用いてすばやく動物に装着することにより足の洗浄時に足以外の部分を防水するための用具である。
請求項１記載の発明は、四足動物の各足を囲む穴状部を有し、動物の体形に沿って足以外の胴体腹部を覆う形状の柔軟性のあるシート状の本体と、前記本体を四足動物に固定させるため、前記本体の一端側と他端側とを繋ぐ連結具とを備えている。
請求項２記載の発明は、柔軟性があるシート状本体の一部に伸縮自在な蛇腹状部分（ギャザー）を設け動物の体長に合わせて本体が四足動物の表面を覆う面積を可変にしたことを特徴とする。
請求項３記載の発明は、柔軟性があるシート状の本体が、複数の片に分割されており、四足動物の体長に合わせて本体の各片が重なり合う範囲を調節可能にして四足動物の表面を覆う面積を可変にしたことを特徴とする。
請求項４記載の発明は本体の動物の各足を囲む穴状部が、穴と切込みとを連通させて形成し、動物の足を着脱する際において容易かつ短時間で着脱することを可能にしたことを特徴とする。
【発明の効果】
【０００６】  散歩等の外出から帰ったときに汚れている４本の足を簡単に素早く入れて胴体に着装させる、動物の体形に対応可能な連結部、ワンタッチで着脱できる留め具で洗浄後にはすみやかに取り外すことが容易であり、また防水性の材質であるので、手入れも楽である。
請求項１記載の発明は、本体を動物の体形に添う形状であることで動物にとっては装着の違和感や圧迫感がないので嫌がらずに着けられ、かつ１対の連結具で留められるので短時間で行える。また足の裏の洗浄時には本体が動物の体形に沿う形状であることにより邪魔にならずに洗うことが出来る。
請求項２記載の発明は、本体の一部が蛇腹状（ギャザー）であることにより伸縮可能になり、各動物個体の体長にあわせることが可能になり、生産においても段階的にサイズを設定することにより、コストも減少できる。
請求項３記載の発明は本体をボタン状の留め具等でスライドさせることなどにより、前述と同じく各動物個体の体長に合わせることが可能になり、生産においても段階的にサイズを設定することにより、コストも減少できる。
請求項４記載の発明は、汚れた４本の足を本体は汚さずに装着するという課題においては穴と切込みを連通させて形成した穴状部は必要なものであり、いちいち１本ずつ穴に入れるという労作を無くして、本体を動物の下から素早く、動物に嫌がられずに装着できる。
【発明を実施するための最良の形態】
【０００７】  この足洗い用具の本体はシリコンゴムシートや硬質スポンジシート、厚手のビニールもしくはビニールコーティングの布やナイロン等、防水性に優れて、動物の体の曲線に沿わせやすく動きを妨げない柔軟性を持つ素材を用い、また動物の胸部、腹部から尻と４本の足の付根に柔軟に対応する形状であることが望ましく、尾の長い動物は本体尻部分の隙間に尾を入れることが可能であるようにする。また、動物個体に対して調節を可能にする形状、蛇腹状もしくは、分割して長さの調節をすることで装着時に違和感を与えずに洗浄できることが望ましい。
連結部については動物個々の体形に対応できるように長さ調節可能なベルト、ゴムベルト等にすることで本用具が動物に嫌がられることなく使用でき、足の洗浄時にも動物の体形に適応していることで邪魔にならない。またワンタッチで着脱出来る留め具、もしくはマジックテープを用いることにより装着を簡単かつ短時間で行うことがその目的に適うものであり、材質は撥水性のあるナイロン、ビニール製のものが望ましい。
【実施例】
【０００８】  本発明の実施例図１（装着側面図）は、四足動物の４本の足を入れて胴体腹部全体を覆うシート本体（１）には足をすみやかに入れやすいように穴と切込みを連通させて形成した穴状部が有り、わき腹に対してと同様に胸部、尻方向も曲線で動物の胴体に沿うようになっており、尾の長い動物は本体尻部分の隙間に尾を入れることが可能である。本体の一端側と他端側はベルト状に伸びており、片方には突起部を設けた連結部（２−１）、他方には複数の、その突起部を入れて固定させる穴を設けた連結部（２−２）により調節し、装着し固定する。
図２は図１の斜視図である。
本発明の実施例図３（装着側面図）では、本体（１）には一部蛇腹状部分（３）を設けることで動物の体長に適応し、胸部と尻部分の本体曲線部で装着する固体に合わせられる。また、本体（１）に連結用ベルトのための切込みを両端部おのおのの端２箇所、計４箇所を設け、連結用にゴムベルト両端を一対として（２−１）（２−２）、そのそれぞれ中央にワンタッチで着脱可能な留め具（６）を設けることにより動物に装着し固定する。【０００９】  本発明の実施例図４（展開図）では、本体は動物の胴体下部にあたる部分の中央で重なりがあるように２片（４、５）に分割されており、四足動物の体長に合わせて１片（４）の他片との接合部分についた突起部３箇所を、他片（５）の接合部分の突起部に対応する場所に複数の穴を設けた中の、動物の体長に適合する穴に合わせて入れることにより固定する、調節可能にして四足動物の表面を覆う面積を可変にしてある。また、本体の２片の接合部分でないおのおの端２箇所に連結用ベルトのための切込みを設け、動物の個体の胴の太さに対応できるように長さ調節可能で、撥水性のあるベルトの連結部（２−１）（２−２）を付け、中心にワンタッチで着脱可能な留め具（６）を設けたもので四足動物胴体両端から背で着脱出来るようになっている。
本発明の実施例図５（斜視図）では、胴体下部にあたる本体（１）の周りを動物のわき腹、尻、胸部に渡して胸部で固定する連結部（２）が接続し、後足部分においては本体（１）より連結部（２）が離れて穴状になっており、その部分に動物の後足２本を入れて、本体（１）に動物の下腹を密着させて前足２本を出した状態で胸部にて留め具、マジックテープ（６）にて装着する。本体（１）は、動物前足方向が折りたためるゆとり部（７）を持ち、マジックテープとともに多少の胴体長さに調節可能である。【００１０】  本発明の実施例図６（装着側面図）では、本体（１）をビニール、ビニールコーティングの布やナイロンを用いて端部にゴム留め具（９）をつけることで四足動物に固定させ、本体（１）の前足と後足の足穴部（８）２ヶ所に、形状が崩れずに柔軟性もあるシリコンゴムのような他の素材をはりつけている。
図７は実施例図６の足穴部（８）の平面図である。
本発明の実施例図８（装着側面図）では、本体（１）をビニール、ビニールコーティングの布やナイロン素材を用いて腹の部分を連結部（２−１）（２−２）で両脇よりあげて、留め具（６）で動物の背で固定してから胸から腹両脇、尻から腹両脇とマジックテープで装着する。【００１１】  本発明の実施例図９（装着側面図）では本体胸部分（４−１）腹部分（５）尻部分（４−２）からなり、本体胸部分（４−１）と尻部分（４−２）は四足動物の胸、尻のカーブにあう形状、硬度ある材質からなり、腹部分（５）はビニール、ビニールコーティングの布やナイロンの材質からなり、両脇の部分の連結部をもち、前後でそれぞれ、マジックテープで胸部分（４−１）と尻部分（４−２）に固定し装着する。また、尻部分（４−２）は腹部分（５）と分離でき、重なり部分を調節可能にして四足動物の表面を覆う面積を可変して四足動物の体長に合わせられる。
図１０は図９の平面図である。
【図面の簡単な説明】
【図１】  本考案の実施例１を犬に装着した側面図である。
【図２】  本考案の実施例１の斜視図である。
【図３】  本考案の実施例２の犬に装着した側面図である。
【図４】  本考案の実施例３の展開図である。
【図５】  本考案の実施例４の斜視図である。
【図６】  本考案の実施例５の犬に装着した側面図である。
【図７】  本考案の実施例５の足穴部（８）平面図である。
【図８】  本考案の実施例６の犬に装着した側面図である。
【図９】  本考案の実施例７の犬に装着した側面図である。
【図１０】  本考案の実施例７の平面図である。
【符号の説明】
１        本体
２        連結部  （２−１・２−２）
３        蛇腹部
４        本体部分  （４−１・４−２）
５        本体部分
６        留め具
７        ゆとり部
８        足穴部
９        ゴム留め部
【図１】
2010088418.tif 000003
【図２】
2010088418.tif 000004
【図３】
2010088418.tif 000005
【図４】
2010088418.tif 000006
【図５】
2010088418.tif 000007
【図６】
2010088418.tif 000008
【図７】
2010088418.tif 000009
【図８】
2010088418.tif 000010
【図９】
2010088418.tif 000011
【図１０】
2010088418.tif 000012